Podtech/llm-jp-corpus-v4-ja_patent huggingface dataset:
【手続補正書】
【提出日】令和2年11月5日(2020.11.5)
【手続補正１】
【補正対象書類名】特許請求の範囲
【補正対象項目名】全文
【補正方法】変更
【補正の内容】
【特許請求の範囲】
【請求項１】
織り込まれて波状に延在する第１強化繊維により、少なくとも一方の端部に開口が設けられ、前記開口に連通する空間が内部に設けられるように形成された外側部材の、前記空間に、第２強化繊維に樹脂が含浸した内側部材を挿入する挿入ステップと、
前記内側部材の樹脂を硬化させることで、前記外側部材と前記内側部材とを接合して、前記外側部材と前記内側部材とが接合した複合材料を形成する、複合材料形成ステップと、
を有する、複合材料の製造方法。
【請求項２】
前記挿入ステップにおいて、複数の前記外側部材の外周面同士が連結して形成された連結部材の、それぞれの前記外側部材の内部に、前記内側部材を挿入する、請求項１に記載の複合材料の製造方法。
【請求項３】
前記連結部材は、前記第１強化繊維が、複数の前記外側部材にわたって設けられている、請求項２に記載の複合材料の製造方法。
【請求項４】
前記挿入ステップにおいて、前記内側部材と前記外側部材との間に発熱部材を設けつつ、前記外側部材の内部に前記内側部材を挿入する、請求項１から請求項３のいずれか１項に記載の複合材料の製造方法。
【請求項５】
前記外側部材は、熱可塑性樹脂を含有する繊維が織り込まれており、前記複合材料形成ステップにおいて、前記外側部材が含む熱可塑性樹脂を溶融させた後硬化させることで、前記外側部材と前記内側部材とを接合する、請求項１から請求項４のいずれか１項に記載の複合材料の製造方法。
【請求項６】
前記内側部材の樹脂は、前記繊維と同じ材料の熱可塑性樹脂である、請求項５に記載の複合材料の製造方法。
【請求項７】
前記外側部材は、前記第１強化繊維が、三次元状に織り込まれている、請求項１から請求項４のいずれか１項に記載の複合材料の製造方法。
【請求項８】
前記内側部材は、一方向に向かって延在する複数の前記第２強化繊維に樹脂が含浸した一方向材である、請求項１から請求項７のいずれか１項に記載の複合材料の製造方法。
【請求項９】
前記第１強化繊維と前記第２強化繊維とは、同じ材料である、請求項１から請求項８のいずれか１項に記載の複合材料の製造方法。
【手続補正２】
【補正対象書類名】明細書
【補正対象項目名】発明の名称
【補正方法】変更
【補正の内容】
【発明の名称】複合材料の製造方法
【手続補正３】
【補正対象書類名】明細書
【補正対象項目名】０００１
【補正方法】変更
【補正の内容】
【０００１】
本発明は、複合材料の製造方法に関する。
【手続補正４】
【補正対象書類名】明細書
【補正対象項目名】０００５
【補正方法】変更
【補正の内容】
【０００５】
本発明は、上述した課題を解決するものであり、所望の形状を容易に実現でき、かつ、強度の低下を抑制できる複合材料の製造方法を提供することを目的とする。
【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
所定の抽選の実行に必要な抽選要素を取得する抽選要素取得手段と、
前記抽選要素を記憶する抽選要素記憶手段と、
所定の始動条件が満たされた状態で前記抽選要素が記憶されている場合、前記抽選要素を用いて前記所定の抽選を実行する抽選実行手段と、
前記所定の抽選が実行された場合、所定の変動時間にわたって図柄を変動表示させた後に、前記所定の抽選の結果に応じた態様で前記図柄を停止表示させる図柄表示手段と、
所定の当選態様で前記図柄が停止表示された場合、特別遊技を実行する特別遊技実行手段と、
特別な移行条件が満たされた場合、前記特別遊技の終了後に、所定の遊技状態から前記所定の遊技状態と比較して有利な条件が適用された有利遊技状態に移行させる有利遊技状態移行手段と、
前記有利遊技状態に連続して移行することが可能な連続回数を設定する連続回数設定手段と、
前記所定の抽選で当選した場合、前記連続回数を更新する連続回数更新手段と、
前記連続回数が規定値に達した場合、前記有利遊技状態への移行に係わる制限を行う規定値到達時処理を実行する規定値到達時処理実行手段と、
前記抽選要素が取得された場合、取得された前記抽選要素に関する先読み情報を生成する先読み処理を実行する先読み処理実行手段と、
前記先読み情報に基づいて、前記先読み処理の対象となる前記抽選要素が用いられる当該変動において実行する演出の内容を事前に決定するとともに、前記当該変動において実行する当選時の演出の内容として、前記特別遊技の終了後に前記有利遊技状態へ移行することを示唆する示唆演出を実行するかどうか、及び、前記特別遊技の終了後に前記有利遊技状態へ移行することを示唆しない非示唆演出を実行するかどうかを決定する演出内容事前決定手段と、
前記所定の抽選で当選し前記連続回数が前記規定値に達する場合、前記当該変動において、前記演出内容事前決定手段により決定された前記示唆演出を実行しない当該変動演出内容決定手段と
を備える遊技機。
【請求項２】
請求項１に記載の遊技機において、
前記当該変動演出内容決定手段は、
前記示唆演出を前記非示唆演出に差し替える差替え処理を実行することを特徴とする遊技機。
【請求項３】
請求項１又は２に記載の遊技機において、
前記演出内容事前決定手段は、
前記当該変動において前記所定の抽選で当選し前記連続回数が規定値に達する場合、前記当該変動において前記非示唆演出を実行すると決定することを特徴とする遊技機。
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
椎弓根スクリュ（７０）に直接的または間接的に結合するように適応させた第一の結合体（１０）、および別の椎弓根スクリュ（７０）に直接的または間接的に結合するように適応させた第二の結合体（２０）を含む脊柱復位器具において、
該脊柱復位器具（１）は、脊椎復位のための第一の移動を行うように、かつ、該第一の移動からは独立した整復のための第二の移動を行うように構成され、該第一の移動下では、前記第一および第二の結合体（１０、２０）が、該結合体（１０、２０）に結合されているときの前記椎弓根スクリュ（７０）間の距離を変化させるためにそれぞれ移動され、該第二の移動下では、前記結合体（１０、２０）が、該結合体（１０、２０）に結合されているときの前記椎弓根スクリュ（７０）の長手軸間の角度を変化させるようにそれぞれ移動され、
該脊柱復位器具（１）は、前記二つの結合体（１０、２０）を互いに機能的に連結させる同期機構または伝動装置を備え、少なくともまたは専ら前記第二の移動下にある該結合体（１０、２０）のそれぞれの移動のみが互いに対して鏡映対称であるように構成され、
調整可能な連結機構が設けられ、該調整可能な連結機構が、前記第一の移動下では、前記結合体（１０、２０）が該連結機構の第一の調整状態において該連結機構によって提供される第一の軸（Ａ１）周りに鋏のような旋回を行い、該第一の調整状態が該旋回移動のみを可能にし、前記第二の移動下では、前記結合体（１０、２０）が該連結機構の第二の調整状態においてそれぞれの第二の軸（Ａ２）周りに反対方向の回転を行い、該第二の調整状態が該結合体（１０、２０）の互いに対する並進移動を可能にし、該二つの第二の軸（Ａ２）が該第二の移動下では互いに相対的に固定されるように、前記二つの結合体（１０、２０）を接続する、脊柱復位器具。
【請求項２】
各結合体（１０、２０）が、少なくとも一つの柱状部（１４、２４）であって、当該少なくとも一つの柱状部（１４，２４）の先端部においてそれぞれの椎弓根スクリュと直接的または間接的に結合するように適応させた当該少なくとも一つの柱状部（１４、２４）、および、少なくとも一つの弧状部（１３、２３）であって、当該少なくとも一つの弧状部（１３、２３）のそれぞれの結合体の前記第二の軸（Ａ２）に弧の中心を有し、前記柱状部（１４、２４）に実質的に垂直な方向に延在する当該少なくとも一つの弧状部（１３、２３）を含み、
前記二つの弧状部（１３、２３）同士が前記連結機構にて接続される、請求項１に記載の脊柱復位器具。
【請求項３】
前記連結機構が、該連結機構が前記第二の調整状態にあるとき、前記弧状部（１３、２３）の長手方向に沿う当該弧状部（１３、２３）の相対移動を可能にするために各弧状部（１３、２３）をスライド可能に案内するためのそれぞれのガイド（３０、４０）を含む、請求項２に記載の脊柱復位器具。
【請求項４】
前記ガイド同士が旋回可能に接続され、該旋回の軸が前記第一の軸（Ａ１）である、請求項３に記載の脊柱復位器具。
【請求項５】
前記第二の移動下では、前記同期伝動装置が、前記連結機構からの案内の下で同一の速度で前記二つの弧状部をスライドさせるように構成される、請求項２または３に記載の脊柱復位器具。
【請求項６】
前記同期伝動装置が少なくとも一つのピニオン（５０）を含み、
前記二つの弧状部がそれぞれラック表面（１７、２７）を含み、該ラック表面が前記ピニオン（５０）と係合する、請求項５に記載の脊柱復位器具。
【請求項７】
前記ピニオン（５０）が前記第一の軸（Ａ１）周りに回転することができる、請求項６に記載の脊柱復位器具。
【請求項８】
前記ピニオン（５０）がガイドに収容される、請求項６または７に記載の脊柱復位器具。
【請求項９】
好ましくは二つの蝶ナットの形状の調整ハンドル（２、６）が設けられ、該調整ハンドル（２、６）が、前記第一の調整状態または前記第二の調整状態へと選択的に前記連結機構を調整するために該連結機構と機能的に接続され、前記第一の調整状態では、前記ピニオン（５０）が、該ピニオン（５０）周りの前記ガイド（３０、４０）の旋回移動のみを可能にするためにロックされ、前記第二の調整状態では、前記ピニオン（５０）が、該ピニオン（５０）がそれぞれ係合される前記ラック表面（１７、２７）に沿う前記弧状部の互いに対する並進移動を可能にするために解放される、請求項８に記載の脊柱復位器具。
【請求項１０】
請求項１〜９の何れか一項に記載の少なくとも二つの脊柱復位器具（１ａ、１ｂ）を含有する、脊柱復位システム。
【請求項１１】
少なくとも四つの多軸椎弓根スクリュ（７０ａから７０ｄ）を含有する、請求項１０に記載の脊柱復位システム。
【請求項１２】
各結合体（１０、２０）にそれぞれの多軸椎弓根スクリュ（７０ａから７０ｄ）が直接的または間接的に結合され、かつ、
該脊柱復位システムが、前記脊柱復位器具のうちの一つ（１ａ）に直接的または間接的に結合された二つの多軸椎弓根スクリュ（７０ａ、７０ｂ）がロック解除されていても二つの椎体（８１、８２）の相対的な位置および向きを保持するように構成される、請求項１１に記載の脊柱復位システム。
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
プレーヤによる実行開始操作に基づいて実行開始されるゲームにおいて所与の広告を表示制御させるコンピュータシステムであって、
前記プレーヤの前記ゲームに係る課金履歴の情報を含むユーザデータを管理するユーザデータ管理手段と、
前記プレーヤの前記課金履歴が所与の課金履歴条件を満たした場合に、前記ゲームにおいて前記所与の広告を前記プレーヤに視聴させるための表示制御を行う広告表示制御手段と、
前記広告表示制御手段の表示制御による前記プレーヤの広告視聴に対する特典を、前記プレーヤの前記課金履歴に基づいて設定する特典設定手段と、
前記特典を前記プレーヤに付与する特典付与手段と、
を備えたコンピュータシステム。
【請求項２】
プレーヤによる実行開始操作に基づいて実行開始されるゲームにおいて所与の広告を表示制御させるコンピュータシステムであって、
前記プレーヤの前記ゲームに係るプレイ履歴の情報を含むユーザデータを管理するユーザデータ管理手段と、
前記プレーヤの前記プレイ履歴が、所与の累積プレイ時間条件、所与の累積プレイ回数条件および所与のプレイ頻度条件の何れかに基づく所与のプレイ履歴条件を満たした場合に、前記ゲームにおいて前記所与の広告を前記プレーヤに視聴させるための表示制御を行う広告表示制御手段と、
前記広告表示制御手段の表示制御による前記プレーヤの広告視聴に対する特典を、前記プレーヤの前記プレイ履歴に基づいて設定する特典設定手段と、
前記特典を前記プレーヤに付与する特典付与手段と、
を備えたコンピュータシステム。
【請求項３】
前記特典設定手段は、
前記所与の広告の広告視聴に対する標準特典を設定する標準特典設定手段と、
前記標準特典を変更して最終的に付与する特典を設定する変更手段と、
を有する、
請求項１又は２に記載のコンピュータシステム。
【請求項４】
前記変更手段による変更内容を通知する変更内容通知制御手段、
を更に備えた請求項３に記載のコンピュータシステム。
【請求項５】
前記変更手段による変更の事由を通知する変更事由通知制御手段、
を更に備えた請求項３又は４に記載のコンピュータシステム。
【請求項６】
前記広告表示制御手段による表示制御の開始の後、前記プレーヤの視聴中止操作に基づいて前記所与の広告の表示完了前に前記広告表示制御手段による表示制御を中止させる制御を行う広告表示中止制御手段、
を更に備え、
前記変更手段は、前記広告表示制御手段による表示制御の後に、当該所与の広告の視聴度合に応じて最終的に付与する特典を設定する、
請求項３〜５の何れか一項に記載のコンピュータシステム。
【請求項７】
現在の前記視聴度合を示す表示と、前記視聴中止操作を行った場合に付与される特典とを表示制御する手段、
を更に備えた請求項６に記載のコンピュータシステム。
【請求項８】
前記標準特典を提示した前記所与の広告の視聴をオファーするオファー制御手段、
を有し、前記オファーに対する前記プレーヤの承認操作がなされた場合に、前記所与の広告の表示制御を開始する、
請求項３〜７の何れか一項に記載のコンピュータシステム。
【請求項９】
請求項１〜８の何れか一項に記載のコンピュータシステムであるサーバシステムと、
前記プレーヤが操作入力するユーザ端末と、
が通信可能に接続されたゲームシステム。
【請求項１０】
前記プレーヤが操作入力する操作入力部を備え、請求項１〜８の何れか一項に記載のコンピュータシステムであるゲーム装置。
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
複数の選択要素のうちいずれかの選択要素が選択される抽選を行う複数の抽選部を、複数の端末装置のいずれかに対応付ける対応付け手段と、
前記複数の端末装置に含まれる第１端末装置に対応付けられた、前記複数の抽選部に含まれる第１抽選部の抽選結果を取得する第１抽選結果取得手段と、
前記複数の端末装置に含まれる第２端末装置に対応付けられた、前記複数の抽選部に含まれる第２抽選部の抽選結果を取得する第２抽選結果取得手段と、
前記第１抽選結果取得手段により取得された抽選結果において選択された選択要素に応じた位置と、前記第２抽選結果取得手段により取得された抽選結果とにおいて選択された選択要素に応じた位置との組み合わせに基づいて、所定のゲーム条件が成立しているか否かを判定するゲーム条件判定手段と、
前記ゲーム条件判定手段により所定のゲーム条件が成立していると判定された場合に所定の報酬を、前記第１端末装置を操作するプレイヤまたは前記第２端末装置を操作するプレイヤの少なくとも一方に付与する報酬付与手段と、
を含むゲームシステム。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
所定の間隔をあけて配置される複数の基準部を含むゲーム画面を表示する表示手段に接続され、プレイ行為を実行すべき実行時期に前記複数の基準部の少なくとも一つに到達するように前記複数の基準部間を行き来する指示標識を前記ゲーム画面に提示することにより前記実行時期を案内するゲームを提供するゲームシステムであって、
前記ゲームのプレイ状況に関連する変更条件に基づいて、前記複数の基準部のうち、少なくとも一つを前記指示標識の移動距離が変化するように移動させる位置移動手段と、
前記指示標識が前記実行時期に前記一つの基準部に到達するように前記指示標識の移動を制御する移動制御手段と、
を備える、ゲームシステム。
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
ユーザの視界を覆うことにより当該ユーザの視線を誘導するようにゲーム空間を表示するヘッドマウント型の表示装置を利用し、
前記表示装置を使用中の前記ユーザの視野範囲に応じた現実空間の映像を前記ゲーム空間の少なくとも一部として使用するゲームを提供するゲーム機であって、
前記ユーザによる動作に基づいて変化する、前記ゲーム空間における入力位置を特定する特定部と、
前記ユーザが移動可能な範囲を、所定の範囲に制限する制限部と、
前記ユーザの前方側に位置することにより前記ユーザの視野範囲を形成し、前記ユーザによる動作を許容する所定の間隔を前記ユーザとの間に形成するように前記ユーザを囲う囲い部と、
が設けられている筐体を備える、ゲーム機。
【請求項２】
前記特定部により特定された、前記ゲーム空間における前記入力位置に応じて、前記ユーザによる動作に関連する関連画像を前記表示装置に表示する画像表示部を備える、請求項１に記載のゲーム機。
（
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
遊技球が流下する遊技領域が形成された遊技盤と、
前記遊技領域内に配設され、前記遊技球の落下の方向に変化を与える障害部材と、
前記遊技領域内に配設され、前記遊技球の落下の方向に変化を与えるとともに該遊技領域を少なくとも左側領域と右側領域とに区画する装飾部材と
を備え、
前記遊技盤に設けられた外レールとその内側に設けられた内レールとの間に、遊技球が通過可能な案内通路が形成され、
発射装置により遊技球を前記案内通路に沿って前記遊技領域内に打ち込み、該遊技球を前記遊技領域内に流下させるよう構成されたぱちんこ遊技機であって、
前記案内通路における前記遊技領域への遊技球の出口開口の近傍に設けられる前記案内通路への遊技球逆流を防ぐ球戻り防止手段が設けられ、
前記装飾部材の左側領域側にはぶっ込み部が形成され、
前記ぶっ込み部は、
前記案内通路の前記出口開口方向に向けて突出する第１の突起部と、
前記突起部の下方に備わり遊技玉を左側領域側に流下させる第１のスロープ面と、
前記第１の突起部と前記第１のスロープ面との間に設けられる凹部と
で構成され、
前記ぶっ込み部の上方には第２の突起部と、
前記第２の突起部の左側領域側に備わり遊技玉を左側領域側に流下させる第２のスロープ面を備える
ことを特徴とする遊技機。
【手続補正２】
【補正対象書類名】明細書
【補正対象項目名】０００６
【補正方法】変更
【補正の内容】
【０００６】
このような目的達成のため、遊技球が流下する遊技領域が形成された遊技盤と、遊技領域内に配設され、遊技球の落下の方向に変化を与える障害部材と、遊技領域内に配設され、遊技球の落下の方向に変化を与えるとともに該遊技領域を少なくとも左側領域と右側領域とに区画する装飾部材とを備え、遊技盤に設けられた外レールとその内側に設けられた内レールとの間に、遊技球が通過可能な案内通路が形成され、発射装置により遊技球を案内通路に沿って遊技領域内に打ち込み、該遊技球を遊技領域内に流下させるよう構成されたぱちんこ遊技機であって、案内通路における遊技領域への遊技球の出口開口の近傍に設けられる案内通路への遊技球逆流を防ぐ球戻り防止手段が設けられ、装飾部材の左側領域側にはぶっ込み部が形成され、ぶっ込み部は、案内通路の出口開口方向に向けて突出する第１の突起部と、記突起部の下方に備わり遊技玉を左側領域側に流下させる第１のスロープ面と、第１の突起部と第１のスロープ面との間に設けられる凹部とで構成され、ぶっ込み部の上方には第２の突起部と、第２の突起部の左側領域側に備わり遊技玉を左側領域側に流下させる第２のスロープ面を備えることを特徴とするぱちんこ遊技機である。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
第一の物体と第二の物体との相対位置姿勢を取得する取得手段と、
前記第一の物体の形状を表す第一の形状モデルおよび前記第二の物体の形状を表す第二の形状モデルと前記相対位置姿勢とに基づいて、前記第一の物体および前記第二の物体を含む画像から、前記第二の物体が前記第一の物体を隠蔽する隠蔽領域を特定する特定手段と、
前記隠蔽領域に基づいて、前記第一の物体の位置姿勢を取得するための情報を生成する生成手段と、
を備えることを特徴とする情報処理装置。
【請求項２】
前記第一の形状モデルおよび前記第二の形状モデルをそれぞれ取得するモデル取得手段をさらに備えることを特徴とする請求項１に記載の情報処理装置。
【請求項３】
前記生成手段により生成された情報に基づいて、前記第一の物体の位置姿勢を取得する位置姿勢取得手段をさらに備えることを特徴とする請求項１に記載の情報処理装置。
【請求項４】
前記生成手段は、前記隠蔽領域に基づいて、前記第一の形状モデルから利用する部位を選択して前記情報を生成することを特徴とする請求項１乃至３の何れか１項に記載の情報処理装置。
【請求項５】
前記生成手段により生成された情報に基づいて、前記第一の物体の位置姿勢を取得する位置姿勢取得手段をさらに備え、
前記生成手段は、前記画像中の前記特定された隠蔽領域に対応する前記第一の形状モデルのモデル特徴を除いたモデル特徴を、前記情報として生成し、
前記位置姿勢取得手段は、前記情報として生成された前記モデル特徴と前記画像中の画像特徴とを対応付けて前記第一の物体の位置姿勢を取得する請求項４に記載の情報処理装置。
【請求項６】
前記生成手段は、前記隠蔽領域に基づいて、前記画像から利用する部位を選択して前記情報を生成する請求項１乃至３の何れか１項に記載の情報処理装置。
【請求項７】
前記生成手段により生成された情報に基づいて、前記第一の物体の位置姿勢を取得する位置姿勢取得手段をさらに備え、
前記生成手段は、前記画像中の前記特定された隠蔽領域に含まれる画像特徴を除いた画像特徴を前記情報として生成し、
前記位置姿勢取得手段は、前記情報として生成された前記画像特徴と前記第一の形状モデルとを対応付けて前記第一の物体の位置姿勢を取得する請求項６に記載の情報処理装置。
【請求項８】
前記生成手段は、
前記隠蔽領域に対して、前記第二の物体が前記第一の物体を隠蔽する度合いを表す隠蔽度を算出し、
前記隠蔽度に基づき、前記第一の物体の位置姿勢を取得する際の寄与度を設定し、
前記寄与度を用いて前記情報を生成する
ことを特徴とする請求項１乃至５の何れか１項に記載の情報処理装置。
【請求項９】
前記第一の物体の位置姿勢を取得するための情報は、前記画像の幾何特徴であることを特徴とする請求項１乃至６の何れか１項に記載の情報処理装置。
【請求項１０】
前記特定手段は、前記第一の物体の概略位置姿勢と、予め記憶された前記第一の物体と前記第二の物体との間の第一の相対位置姿勢とに基づいて、前記隠蔽領域を特定することを特徴とする請求項１に記載の情報処理装置。
【請求項１１】
前記特定手段は、前記第二の物体の概略位置姿勢と前記第二の物体の第二の形状モデルとに基づいて前記画像中で前記第二の物体が占める領域を示す画像を生成することにより、前記隠蔽領域を特定することを特徴とする請求項１に記載の情報処理装置。
【請求項１２】
前記特定手段は、前記第一の物体の概略位置姿勢に基づいて、前記第一の物体の第一の形状モデルをレンダリングした結果と、前記第一の相対位置姿勢に基づいて求められる前記第二の物体の概略位置姿勢に基づいて前記第二の物体をレンダリングした結果とに基づいて、前記隠蔽領域を特定することを特徴とする請求項１０に記載の情報処理装置。
【請求項１３】
更に、前記隠蔽領域と前記第二の物体の第二の形状モデルとに基づいて、前記第二の物体の位置姿勢を取得する第二の位置姿勢取得手段を備えることを特徴とする請求項１に記載の情報処理装置。
【請求項１４】
前記第一の物体の位置姿勢と前記第二の物体の位置姿勢とに基づいて、前記第一の物体と前記第二の物体との第一の相対位置姿勢を推定する推定手段と、
前記推定された第一の相対位置姿勢に基づいて、組み付け状態を判定する判定手段を更に備えることを特徴とする請求項１３に記載の情報処理装置。
【請求項１５】
前記判定手段は、前記第一の相対位置姿勢と、予め記憶された前記第一の物体と前記第二の物体との第二の相対位置姿勢との差分に基づいて、前記組み付け状態を判定することを特徴とする請求項１４に記載の情報処理装置。
【請求項１６】
情報処理装置の制御方法であって、
第一の物体と第二の物体との相対位置姿勢を取得する取得工程と、
前記第一の物体の形状を表す第一の形状モデルおよび前記第二の物体の形状を表す第二の形状モデルと前記相対位置姿勢とに基づいて、前記第一の物体および前記第二の物体を含む画像から、前記第二の物体が前記第一の物体を隠蔽する隠蔽領域を特定する特定工程と、
前記隠蔽領域に基づいて、前記第一の物体の位置姿勢を取得するための情報を生成する生成工程と、
を有することを特徴とする情報処理装置の制御方法。
【請求項１７】
コンピュータを、請求項１乃至１５の何れか１項に記載の情報処理装置の各手段として機能させるためのプログラム。
【誤訳訂正書】
【提出日】令和2年7月17日(2020.7.17)
【誤訳訂正１】
【訂正対象書類名】明細書
【訂正対象項目名】００１７
【訂正方法】変更
【訂正の内容】
【００１７】
いくつかの態様において、図2に図示されているように、コネクタアセンブリ100は機械可読識別子205を含む。機械可読識別子205は、バーコード（例えば一次元もしくは多次元バーコード）、クイックレスポンス（QR）コード、または他の任意の機械可読式光学ラベルなど、機械可読式の光学識別子を含んでいてもよい。他の態様において、機械可読識別子は、タグ（例えば無線周波数識別（RFID）タグ）であってもよい。いくつかの実施例態様において、機械可読識別子205は、カラーコード化、レーザーエッチング、エンボス加工、彫刻、もしくは塗装が施されてもよく、または、視覚的もしくは他の任意の感覚的識別を容易にしうる任意の形式が適用されてもよい。1つの態様において、機械可読識別子205は大きさが10mm（ミリメートル）x 10mmである。他の態様において、機械可読識別子205は他の好適な寸法を有していてもよい。機械可読識別子205は第二ハウジング130の上に提供されていてもよい。いくつかの実施例態様において、機械可読識別子205は、1つまたは複数のファスナー（例えば、1つまたは複数の接着材、ねじなど）を介して第二ハウジング130に連結されていてもよい。他の実施例態様において、機械可読識別子205は第二ハウジング130内に埋め込まれていてもよい。図2に図示されているように、機械可読識別子205はアクセス不可状態220にある。アクセス不可状態220において、機械可読識別子205は、カバーされるか、隠されるか、ブロックされるか、もしくはその他視認からさえぎられるか、または、第一ハウジング120が第二ハウジング130に固定されているか否かによって異なるようなその他の状態に置かれてもよい。機械可読識別子のさらなる説明は本明細書において詳しく後述する。
【手続補正書】
【提出日】令和2年2月18日(2020.2.18)
【手続補正１】
【補正対象書類名】明細書
【補正対象項目名】発明の名称
【補正方法】変更
【補正の内容】
【発明の名称】リチウムイオン二次電池用の正極活物質、二次電池、電池制御ユニットおよび電子機器
【手続補正２】
【補正対象書類名】特許請求の範囲
【補正対象項目名】全文
【補正方法】変更
【補正の内容】
【特許請求の範囲】
【請求項１】
板状の第１の構造体と、板状の第２の構造体と、を有し、
前記第１の構造体と、前記第２の構造体と、の間に、第３の構造体を有し、
前記第１の構造体と、前記第２の構造体と、の間に、空隙を有する、リチウムイオン二次電池用の正極活物質。
【請求項２】
請求項１において、
前記第１の構造体は、第１の面と、第２の面と、その他の面と、を有し、
前記第１の面は、前記その他の面よりも面積が大きく、
前記第２の面は、前記その他の面よりも面積が大きい、リチウムイオン二次電池用の正極活物質。
【請求項３】
請求項２において、
前記第１の面と、前記第２の面は、共通する辺を有さない、リチウムイオン二次電池用の正極活物質。
【請求項４】
請求項２または請求項３において、
前記第１の面は、概略ｎ角形状であり（ｎは５以上の自然数）、
前記第１の面が有するｎ個の内角のうち、少なくとも一つは１００°以下である、リチウムイオン二次電池用の正極活物質。
【請求項５】
請求項１乃至請求項４のいずれか一において、
前記第３の構造体は、概略角柱状であり、
前記第１の構造体と前記第２の構造体の間に、前記第３の構造体が一つまたは複数有する、リチウムイオン二次電池用の正極活物質。
【請求項６】
請求項１乃至請求項５のいずれか一において、
前記第１の構造体と、前記第２の構造体と、前記第３の構造体は、リチウムと、金属と、リンと、酸素を有し、
前記金属は、鉄、マンガン、コバルト、ニッケルから選ばれるいずれか一つまたは複数を有する、リチウムイオン二次電池用の正極活物質。
【請求項７】
請求項１乃至請求項５のいずれか一において、
前記第１の構造体と、前記第２の構造体と、前記第３の構造体は、リチウムと、鉄と、リンと、酸素を有する、リチウムイオン二次電池用の正極活物質。
【請求項８】
請求項１乃至請求項５のいずれか一において、
前記第１の構造体と、前記第２の構造体と、前記第３の構造体は、リン酸鉄リチウムを有する、リチウムイオン二次電池用の正極活物質。
【請求項９】
請求項１乃至請求項５のいずれか一において、
前記第１の構造体と、前記第２の構造体と、前記第３の構造体は、ＬｉＦｅＰＯ４を有する、リチウムイオン二次電池用の正極活物質。
【請求項１０】
請求項１乃至請求項９のいずれか一に記載の正極活物質を含む正極と、
負極と、電解質と、を有する二次電池。
【請求項１１】
請求項１０に記載の二次電池と、
制御回路と、
を有する電池制御ユニット。
【請求項１２】
請求項１０に記載の二次電池と、
電源スイッチと、
を有する電子機器。
【請求項１３】
請求項１０に記載の二次電池と、
表示装置と、
を有する電子機器。
【請求項１４】
請求項１０に記載の二次電池と、
入出力端子と、を有し、
前記入出力端子は、無線通信を行う機能を有する電子機器。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
遊技を行うことが可能であり、遊技者にとって有利な有利状態に制御可能な遊技機であって、
可変表示を実行し、第１表示領域および第２表示領域を含む表示領域において可変表示の表示結果を導出表示可能な可変表示実行手段と、
可変表示の表示結果として特定表示結果が導出表示されたときに前記有利状態に制御可能な有利状態制御手段と、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、示唆演出を実行可能な演出実行手段と、を備え、
前記第１表示領域において前記特定表示結果が導出表示されて前記有利状態に制御される場合と前記第２表示領域において前記特定表示結果が導出表示されて前記有利状態に制御される場合とで、有利度合いが異なり、
前記演出実行手段は、前記情報出力手段から出力された設定値情報が正常でない場合、前記複数の設定値のうち遊技者にとって有利度が低い所定の設定値に対応した割合により前記示唆演出を実行可能である
ことを特徴とする遊技機。
【手続補正２】
【補正対象書類名】明細書
【補正対象項目名】０００７
【補正方法】変更
【補正の内容】
【０００７】
そのような遊技機では、可変表示を実行し、表示領域において可変表示の表示結果を導出表示可能に構成されている。例えば、特許文献１には、遊技者にとっての有利度が異なる複数の設定値のうちのいずれかの設定値に設定可能に構成され、設定された設定値にもとづいて有利状態の制御を実行可能に構成されたパチンコ遊技機が記載されている。
【手続補正３】
【補正対象書類名】明細書
【補正対象項目名】０００８
【補正方法】変更
【補正の内容】
【０００８】
【特許文献１】特開２０１０−２００９０２号公報
【手続補正４】
【補正対象書類名】明細書
【補正対象項目名】０００９
【補正方法】変更
【補正の内容】
【０００９】
しかしながら、特許文献１に記載された遊技機は、改良の余地があった。
【手続補正５】
【補正対象書類名】明細書
【補正対象項目名】００１０
【補正方法】変更
【補正の内容】
【００１０】
そこで、本発明は上述した遊技機を改良した遊技機を提供することを目的とする
【手続補正６】
【補正対象書類名】明細書
【補正対象項目名】００１１
【補正方法】変更
【補正の内容】
【００１１】
（手段Ａ）本発明による遊技機は、遊技を行うことが可能であり、遊技者にとって有利な有利状態に制御可能な遊技機であって、
可変表示を実行し、第１表示領域および第２表示領域を含む表示領域において可変表示の表示結果を導出表示可能な可変表示実行手段と、
可変表示の表示結果として特定表示結果が導出表示されたときに前記有利状態に制御可能な有利状態制御手段と、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、示唆演出を実行可能な演出実行手段と、を備え、
前記第１表示領域において前記特定表示結果が導出表示されて前記有利状態に制御される場合と前記第２表示領域において前記特定表示結果が導出表示されて前記有利状態に制御される場合とで、有利度合いが異なり、
前記演出実行手段は、前記情報出力手段から出力された設定値情報が正常でない場合、前記複数の設定値のうち遊技者にとって有利度が低い所定の設定値に対応した割合により前記示唆演出を実行可能である
ことを特徴とする。
（手段１）他の遊技機は、遊技を行うことが可能な遊技機であって、可変表示を実行し、第１表示領域（例えば、図９−２（Ａ）に示す分割領域全体）および第２表示領域（例えば、図９−２（Ｂ）に示す分割領域内の端部領域）を含む表示領域において可変表示の表示結果を導出表示可能な可変表示実行手段（例えば、演出制御用ＣＰＵ１２０におけるステップ１７１〜Ｓ１７３を実行する部分）と、可変表示の表示結果として特定表示結果（例えば、大当り図柄）が導出表示されたときに遊技者にとって有利な有利状態（例えば、大当り遊技状態）に制御可能な有利状態制御手段（例えば、遊技制御用マイクロコンピュータ１００におけるステップＳ１１４〜Ｓ１１７を実行する部分）とを備え、第１表示領域において特定表示結果が導出表示されて有利状態に制御される場合と第２表示領域において特定表示結果が導出表示されて有利状態に制御される場合とで、有利度合いが異なる（例えば、分割領域内の端部領域において大当り図柄が確定表示される場合には、分割領域全体で大当り図柄が確定表示される場合と比較して、確変大当りとなることに対する期待度（確変期待度）が高い）ことを特徴とする。そのような構成によれば、可変表示の表示結果を導出表示する場合の演出効果を高めることができる。
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
センサ駆動型グルコース制御システムであって、
グルコースセンサから対象の測定されたグルコースレベルを示す測定グルコースレベル信号を受信し、前記対象への注入のためにインスリンの用量を送達するように構成されたインスリン送達デバイスにインスリン用量制御信号を送信するように構成された、入力／出力インターフェースと；
（ａ）前記測定グルコースレベル信号と、（ｂ）目標グルコースレベル信号とに応答して、制御スキームに従って前記インスリン用量制御信号を生成するように作動するコントローラとを備え、
前記インスリン用量制御信号を生成することが：
前記目標グルコースレベル信号と、秒から分のオーダーで生じる前記測定グルコースレベル信号の変動とに基づいて補正インスリン用量を計算し；
第一の治療期間中に前記目標グルコースレベル信号の第一の値を使用して第一の補正インスリン用量を計算し；
より長期間にわたる前記測定グルコースレベル信号の値により表される経時変化の前記より長期間の傾向に基づいて、前記目標グルコースレベル信号の修正値を自律的に選択し；
前記修正値で前記目標グルコースレベル信号を設定し；
第二の治療期間中に前記目標グルコースレベル信号の前記修正値を使用して第二の補正インスリン用量を計算し、それにより、投与される総インスリンを減らしながら、前記第一の治療期間と比較して前記第二の治療期間にわたって本質的に同じグルコース制御効果を達成する、
ことにより行われ、
前記目標グルコースレベル信号の修正値を自律的に選択することが、前記第一の治療期間の少なくとも一部にわたる測定グルコースレベルの関数に基づくものであり、
前記関数が、測定されたグルコースレベルにより前記目標グルコースレベル信号の修正値に対して生じたずれを決定するため測定グルコースレベルが乗算されるスケーリング因子を用いる加重和であり、
および、前記スケーリング因子が、前記各測定グルコースレベルに応じて変動する、
センサ駆動型グルコース制御システム。
【請求項２】
前記目標グルコースレベル信号の修正値を自律的に選択することが、前記コントローラに対する入力パラメータとして提供された静的目標グルコースレベル信号から目標グルコースレベル信号の修正値を計算することを含む、請求項１に記載のセンサ駆動型グルコース制御システム。
【請求項３】
前記目標グルコースレベル信号の修正値を自律的に選択することは、少なくとも長期間にわたる逆調節剤の計算された用量の値によって表される第二の計算された長期間の傾向に基づき、
前記センサ駆動型グルコース制御システムは、逆調節剤用量制御信号に応答して、前記対象に注入するために前記逆調節剤の用量を送達するように作動する逆調節剤送達デバイスを更に備え、
前記コントローラが更に、前記制御スキームに従って、（ａ）前記測定グルコースレベル信号及び（ｂ）目標グルコースレベル信号に応答して前記逆調節剤用量制御信号を生成して、前記対象の正常血糖を維持するよう作動する、
請求項１に記載のセンサ駆動型グルコース制御システム。
【請求項４】
前記スケーリング因子が、前記各測定グルコースレベルの時間的位置に応じて変動する、請求項１に記載のセンサ駆動型グルコース制御システム。
【請求項５】
前記目標グルコースレベル信号の修正値を自律的に選択することが、過去及び／又は後退期間にわたる逆調節剤の前記算出された用量の関数に基づくものである、請求項１に記載のセンサ駆動型グルコース制御システム。
【請求項６】
前記算出された用量の関数が、前記逆調節剤の前記算出された用量により前記目標グルコースレベル信号に対して生じたずれの大きさを規定する更なるスケーリング因子を用いる加重和である、請求項５に記載のセンサ駆動型グルコース制御システム。
【請求項７】
前記更なるスケーリング因子が、前記逆調節剤の前記各算出された用量の時間的位置に応じて変動する、請求項６に記載のセンサ駆動型グルコース制御システム。
【請求項８】
前記更なるスケーリング因子が、前記逆調節剤の前記各算出された用量の大きさに応じて変動する、請求項６に記載のセンサ駆動型グルコース制御システム。
【請求項９】
逆調節剤用量制御信号に応答して、前記対象に注入するために前記逆調節剤の前記算出された用量を送達するように作動する逆調節剤送達デバイスを更に備える、請求項６に記載のセンサ駆動型グルコース制御システム。
【請求項１０】
前記コントローラは、前記逆調節剤が実際には前記対象に注入されず、前記逆調節剤の前記算出された用量が、前記逆調節剤が前記対象に注入された場合に前記対象に注入されるであろう用量を表す、請求項６に記載のセンサ駆動型グルコース制御システム。
【請求項１１】
過去及び／又は後退時間幅が、測定グルコースレベルに適用される、請求項１に記載のセンサ駆動型グルコース制御システム。
【請求項１２】
前記過去及び／又は後退時間幅に包含させるために、前記測定グルコースレベルに閾値が適用される、請求項１１に記載のセンサ駆動型グルコース制御システム。
【請求項１３】
一時的に静的グルコース目標を設定することによってグルコース適合を抑制又は無効にするように、使用者入力を受容するように構成され及び作動する、請求項１に記載のセンサ駆動型グルコース制御システム。
【請求項１４】
完全自律的及び半自律的の両方で作動する、請求項１に記載のセンサ駆動型グルコース制御システム。
【請求項１５】
前記目標グルコースレベル信号の修正値を自律的に選択することが、前記測定グルコースレベル信号の値を得るために使用される時間スケールと同一の時間スケール若しくはそれと同時の時間スケール、又は前記測定グルコースレベル信号の値を得るために使用されるより短い若しくはより長い時間スケールに発動される、請求項１に記載のセンサ駆動型グルコース制御システム。
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
白金族金属を含む第一の触媒コーティングと、１種以上の非白金族金属を含む第二の触媒コーティングと、１種以上の基材とを含む排出物質浄化のための触媒物品であって、
前記第一の触媒コーティングは、Ｃｕ、Ｎｉ、Ｆｅ、Ｍｎ、Ｖ、Ｃｏ、Ｇａ、Ｍｏ、Ｍｇ、ＣｒおよびＺｎを本質的に含まず、
前記第二の触媒コーティングは、白金族金属を本質的に含まず、
前記第一の触媒コーティングは、前記第一の触媒コーティングと第二の触媒コーティングとの間のバリヤ層により前記第二の触媒コーティングから隔離されており、
前記バリヤ層は、Ｃｕ、Ｎｉ、Ｆｅ、Ｍｎ、Ｖ、Ｃｏ、Ｇａ、Ｍｏ、Ｍｇ、Ｃｒ、Ｚｎおよび白金族金属を本質的に含まない、
触媒物品。
【請求項２】
前記第一の触媒コーティングは、前記第二の触媒コーティング上に積層されている、請求項１に記載の触媒物品。
【請求項３】
前記第一の触媒コーティングと第二の触媒コーティングの間にバリヤ層を更に含む、請求項１に記載の触媒物品。
【請求項４】
前記バリヤ層は、安定化アルミナ、セリア、ジルコニア、セリア−ジルコニア複合物、チタニアおよびそれらの組み合わせから選択される担体を含む、請求項１から３までのいずれか１項に記載の触媒物品。
【請求項５】
前記第一の触媒コーティングは、前記第二の触媒コーティングから上流の区域にある、請求項１から４までのいずれか１項に記載の触媒物品。
【請求項６】
前記白金族金属は、アルミナ、セリア、ジルコニア、セリア−ジルコニア複合物、チタニアまたはそれらの組み合わせを含む担体上に担持されている、請求項１から５までのいずれか１項に記載の触媒物品。
【請求項７】
前記担体は、Ｌａ、Ｂａ、Ｙ、Ｐｒ、Ｓｒおよびそれらの組み合わせからなる群から選択される元素によって安定化されている、請求項１から６までのいずれか１項に記載の触媒物品。
【請求項８】
前記非白金族金属は、Ｃｕ、Ｎｉ、Ｆｅ、Ｍｎ、Ｔｉ、Ｖ、Ｃｏ、Ｇａ、Ｃａ、Ｓｒ、Ｍｏ、Ｂａ、Ｍｇ、Ａｌ、Ｌａ、ＺｎおよびＣｅの１つ以上を含む、請求項１から７までのいずれか１項に記載の触媒物品。
【請求項９】
前記第一の触媒コーティングは、第一の基材上にあり、かつ第二の触媒コーティングは、第二の基材上にあり、かつそれらの基材は、互いに接触している、請求項１から８までのいずれか１項に記載の触媒物品。
【請求項１０】
前記第一の触媒コーティングと第二の触媒コーティングは、同じ基材上に存在する、請求項１から９までのいずれか１項に記載の触媒物品。
【請求項１１】
前記第一の触媒コーティングと第二の触媒コーティングは、長手方向に延びた壁部によって形成される複数の長手方向に延びた通路を有するウォールフロー型モノリス上にコーティングされており、前記壁部は前記通路を境界付けるとともに区画化しており、ここで、該通路は、開放入口端と閉鎖出口端とを有する複数の入口通路および閉鎖入口端と開放出口端とを有する複数の出口通路を含み、かつ前記第一の触媒コーティングまたは第二の触媒コーティングは、前記壁部に浸透している、請求項１から１０までのいずれか１項に記載の触媒物品。
【請求項１２】
請求項１に記載の触媒物品の製造方法において：
白金族金属を含む第一のスラリーであって、Ｃｕ、Ｎｉ、Ｆｅ、Ｍｎ、Ｖ、Ｃｏ、Ｇａ、Ｍｏ、Ｍｇ、ＣｒおよびＺｎを本質的に含まない第一のスラリーを準備するステップと、
非白金族金属を含む第二のスラリーであって、いずれの白金族金属も本質的に含まない第二のスラリーを準備するステップと、
１種以上の基材を前記第一のスラリーおよび前記第二のスラリーでコーティングすることで、請求項１に記載の触媒物品を得るステップと、
該触媒物品を、約３００℃から約１１００℃までの範囲の温度で焼成するステップと、
を含む、製造方法。
【請求項１３】
内燃機関からの排気を処理する方法において、該内燃機関からの排気を請求項１から１１までのいずれか１項に記載の触媒物品と接触させるステップを含む、方法。
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
所定数のデッキを構成するカードを収納するカード収納部を備えた本体と、
前記カード収納部の上部に配置され前記カード収納部を覆う着脱可能な天面カバーと、
前記カード収納部からカードをゲームテーブル上にガイドする前方に傾斜した底面と、
前記カード収納部からカードを一枚ずつ取り出すことができるよう前記本体の前方に配置されたフロントカバーと、
を備え、
前記フロントカバーは、前記本体から着脱可能に装着され、前記フロントカバー装着時には前記カード収納部に収納された所定数のデッキを構成するカードの前方方向の動きを制限すると共に、カードが一枚ずつ通過可能な開口部を前記底面との間に形成し、前記カード収納部にカードを収納する時に前記フロントカバーを外し、前記底面をガイドにしてカードを前記本体の前方から前記カード収納部へ滑らせて入れることが可能な前面開口状態を構成することが可能である、カードシュータ装置。
【請求項２】
請求項１に記載のカードシュータ装置であって、
前記本体と前記フロントカバーは、前記本体または前記フロントカバーの一部によって着脱可能に構成されている、カードシュータ装置。
【請求項３】
請求項１に記載のカードシュータ装置であって、
前記本体と前記フロントカバーは係合部材によって着脱可能に構成されている、カードシュータ装置。
【請求項４】
請求項１に記載のカードシュータ装置であって、
前記フロントカバーは１枚である、カードシュータ装置。
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
遊技が行われる遊技領域と、
該遊技領域の面に平行に延びている一枚の透明平板状で、周面における光が入射される複数の特定入光部の夫々に応じて異なる複数の絵柄を発光表示可能とされている導光板と、
該導光板における複数の前記特定入光部を挟むように設けられる周縁部材と、
該周縁部材に設けられており、遊技の進行に応じて、複数の前記特定入光部に対して夫々独立して光を照射可能な複数の発光手段と
を具備していることを特徴とする遊技機。
【手続補正２】
【補正対象書類名】明細書
【補正対象項目名】０００７
【補正方法】変更
【補正の内容】
【０００７】
手段１：遊技機において、
「遊技が行われる遊技領域と、
該遊技領域の面に平行に延びている一枚の透明平板状で、周面における光が入射される複数の特定入光部の夫々に応じて異なる複数の絵柄を発光表示可能とされている導光板と、
該導光板における複数の前記特定入光部を挟むように設けられる周縁部材と、
該周縁部材に設けられており、遊技の進行に応じて、複数の前記特定入光部に対して夫々独立して光を照射可能な複数の発光手段と
を具備している」ものであることを特徴とする。
なお、本発明とは別の発明として以下の手段を参考として開示する。
手段１：遊技機において、
「遊技が行われる遊技領域と、
正面視該遊技領域内に配置されており、該遊技領域の面に平行に延びている一枚の透明平板状で、周面における光が入射される複数の特定入光部の夫々に応じて異なる複数の絵柄を発光表示可能とされている導光板と、
該導光板における複数の前記特定入光部が配置されている周縁に取付けられているリフレクタと、
該リフレクタに取付けられており、前記遊技領域内において遊技が行われることで変化する遊技状態に応じて、複数の前記特定入光部に対して夫々独立して光を照射可能な複数の発光手段と
を具備している」ものであることを特徴とする。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
複数種類の図柄が付された複数のリールと、
各前記リールに対応するように設けられた複数のストップスイッチと、
役抽選を行う役抽選手段と、
画像表示手段と、を備え、
所定の状況下で前記役抽選の結果として第１の抽選結果となった遊技において、ストップスイッチの操作態様に関する情報を、所定色を用いて前記画像表示手段に表示可能とし、
所定の状況下で前記役抽選の結果として第２の抽選結果となった遊技において、ストップスイッチの操作態様に関する情報を、前記所定色を用いて前記画像表示手段に表示可能とし、
前記役抽選の結果として第１の抽選結果となったときは、当該第１の抽選結果に対応した色を用いて所定演出を実行可能であり、
所定の状況下で前記役抽選の結果として第１の抽選結果となった遊技において、前記所定演出を実行する確率は、前記所定演出を実行しない確率よりも低い、
ことを特徴とするスロットマシン。
【手続補正２】
【補正対象書類名】明細書
【補正対象項目名】０００５
【補正方法】変更
【補正の内容】
【０００５】
しかしながら、特許文献１に記載されるようなスロットマシンでは、当選役を示唆する色を報知する演出については改善の余地があった。
【手続補正３】
【補正対象書類名】明細書
【補正対象項目名】０００６
【補正方法】変更
【補正の内容】
【０００６】
本発明は、上記問題点に鑑みてなされたものであり、報知された色と当選役とが対応したスロットマシンの提供を目的とする。
【手続補正４】
【補正対象書類名】明細書
【補正対象項目名】０００７
【補正方法】変更
【補正の内容】
【０００７】
上述した課題を解決するために、本発明は、
複数種類の図柄が付された複数のリールと、
各前記リールに対応するように設けられた複数のストップスイッチと、
役抽選を行う役抽選手段と、
画像表示手段と、を備え、
所定の状況下で前記役抽選の結果として第１の抽選結果となった遊技において、ストップスイッチの操作態様に関する情報を、所定色を用いて前記画像表示手段に表示可能とし、
所定の状況下で前記役抽選の結果として第２の抽選結果となった遊技において、ストップスイッチの操作態様に関する情報を、前記所定色を用いて前記画像表示手段に表示可能とし、
前記役抽選の結果として第１の抽選結果となったときは、当該第１の抽選結果に対応した色を用いて所定演出を実行可能であり、
所定の状況下で前記役抽選の結果として第１の抽選結果となった遊技において、前記所定演出を実行する確率は、前記所定演出を実行しない確率よりも低い、
こと、を特徴とする。
【手続補正５】
【補正対象書類名】明細書
【補正対象項目名】０００９
【補正方法】変更
【補正の内容】
【０００９】
以上のように、本発明のスロットマシンによれば、報知された色と当選役とを対応させることが可能となる。
【手続補正書】
【提出日】令和2年5月11日(2020.5.11)
【手続補正１】
【補正対象書類名】明細書
【補正対象項目名】発明の名称
【補正方法】変更
【補正の内容】
【発明の名称】レーザ加工装置
【手続補正２】
【補正対象書類名】特許請求の範囲
【補正対象項目名】全文
【補正方法】変更
【補正の内容】
【特許請求の範囲】
【請求項１】
レーザ発振器から出力されたレーザ光を成形する光学系ユニットと、加工対象の構造物の固定機構と、第１のミラーと、第２のミラーと、第３のミラーと、第４のミラーと、第１のレンズと、第２のレンズと、を有し、
前記固定機構の上方から第１の線状ビームを照射する機能と、前記固定機構の下方から第２の線状ビームを照射する機能と、を有し、
前記第１の線状ビームは、光学系ユニットにより成形された前記レーザ光を、前記第１のミラーにより反射して、前記第１のレンズにより集光することで形成され、
前記第２の線状ビームは、前記レーザ光を、前記第２のミラー乃至前記第４のミラーにより反射して、前記第２のレンズにより集光することで形成され、
前記固定機構が有するステージは、前記第２のレンズから入射した前記レーザ光を透過する機能を有し、
前記第１のミラーを移動させることにより、前記レーザ光の光路を切り替え、前記第１の線状ビームの形成をするか、前記第２の線状ビームの形成をするかを調整するレーザ加工装置。